(57)【要約】【課題】ザッピング後に、ザッピング前に視聴していた視聴番組におけるザッピング中のシーンを視聴し直せる放送記録再生装置を提供する。【解決手段】視聴用チューナ１２、この選局チャンネルを視聴者に切り替えさせる切替手段、視聴用チャンネルと同チャンネルを記録用チャンネルとして選局・復調する記録用チューナ１３、記録用チューナ１３で復調したチャンネルの放送信号を記憶装置１５に常時記録する常時記録手段、及び記録された放送信号と視聴用チューナ１２で復調した放送信号とを入力し視聴者が記録された元のチャンネルの視聴を希望したときのみ視聴用チューナ１２で復調した放送信号の代わりに常時記録手段で記録された放送信号を選択し再生用に出力する選択回路１とを備える。記録用チューナ１３での選局チャンネルを、切替手段でチャンネルの切り替えがあり且つ所定の条件を満たしたときのみ、切替手段で視聴者が切り替えたチャンネルに変更する。【選択図】図１
2006019793.tif 000002
【特許請求の範囲】
【請求項１】
放送信号を受信し記録媒体に視聴中のチャンネルの番組を常時記録する機能をもつ放送記録再生装置であって、前記受信した放送信号のうち視聴用のチャンネルを選局して復調する視聴用チューナと、該視聴用チューナにおいて選局するチャンネルを、視聴者に切り替えさせるチャンネル切替手段と、前記受信した放送信号のうち前記視聴用のチャンネルと同じチャンネルを記録用のチャンネルとして選局して復調する記録用チューナと、前記記録用チューナで復調したチャンネルの放送信号を、前記記録媒体に常時記録する常時記録手段と、該常時記録手段で記録された放送信号と前記視聴用チューナで復調した放送信号とを入力し、前記視聴用チューナで復調した放送信号を出力して再生用に出力し、前記視聴者が前記常時記録手段で記録された元のチャンネルの視聴を希望したときのみ、前記視聴用チューナで復調した放送信号の代わりに前記常時記録手段で記録された放送信号を選択し、再生用に出力する選択回路と、を備え、前記記録用チューナで選局されているチャンネルを、前記チャンネル切替手段でチャンネルの切り替えがあり且つ所定の条件を満たしたときのみ、前記チャンネル切替手段で視聴者が切り替えたチャンネルに変更することを特徴とする放送記録再生装置。
【請求項２】
前記チャンネル切替手段によってチャンネルが切り替えられてから再度切り替え前のチャンネルに戻すまでの時間を計測する手段を備え、前記所定の条件として、前記チャンネル切替手段によってチャンネルが切り替えられてから再度切り替え前のチャンネルに戻すまでに、所定の時間を経過したことを、条件とすることを特徴とする請求項１に記載の放送記録再生装置。
【請求項３】
前記所定の条件として、前記チャンネル切替手段によってチャンネルが切り替えられてから、視聴者によって前記記録媒体への記録に関する所定の操作がなされたことを、条件とすることを特徴とする請求項１又は２に記載の放送記録再生装置。
【請求項４】
前記記録用チューナにおいて選局するチャンネルを、視聴者に切り替えさせる記録チャンネル切替手段をさらに備え、前記所定の条件として、前記チャンネル切替手段でチャンネルの切り替えの有無に拘わらず、前記記録チャンネル切替手段で記録するチャンネルが切り替えられたことを、条件とすることを特徴とする請求項１乃至３のいずれか１項に記載の放送記録再生装置。
【請求項５】
前記常時記録手段の前段に、記録対象の番組を符号化する符号化回路を備え、且つ、前記常時記録手段の後段に、符号化された後に前記記録媒体に記録された番組を復号する復号回路を備えることを特徴とする請求項１乃至４のいずれか１項に記載の放送記録再生装置。
【請求項６】
前記視聴用チューナの代わりに、当該放送記録再生装置に接続された外部の放送受信機器に具備されたチューナから出力された放送信号を入力する入力手段を備えたことを特徴とする請求項１乃至５のいずれか１項に記載の放送記録再生装置。
【発明の詳細な説明】
【技術分野】
【０００１】
本発明は、放送記録再生装置に関し、より詳細には、テレビ放送又はラジオ放送を受信し、記憶媒体に視聴中の番組を常時記録することが可能な放送記録再生装置に関する。
【背景技術】
【０００２】
近年市場に出回っているテレビジョン受像機には、例えば多画面テレビなど種々の便利な機能が設けられている。多画面表示可能なテレビジョン受像機では、番組サーチが行なえるものがある。これは、サーチを指令すると、一定時間内にチャンネルをアップ又はダウンさせた後に元のチャンネルに戻るというものである。例えば、民放の４チャンネル（ＣＨ４）を見ているときにこのサーチを行なうと、ＣＨ６，ＣＨ８，ＣＨ１０，ＣＨ１２，ＣＨ１，ＣＨ３とチャンネルを一定時間ごとに順次切り替えて受像し、元のＣＨ４に戻ることになる。
【０００３】
このようなサーチ機能にあっては、確かに裏番組にどのようなものがあるかを確認するという面では非常に便利であると謂えるが、そのサーチ時間が短いためにサーチされた番組を楽しむということまではできなかった。このサーチは見ているチャンネルがＣＭ（コマーシャル）になった場合に行なわれるのが多い。そこで、ＣＭ期間中には裏番組を十分に楽しむことができ、ＣＭが終了すると裏番組から見ていた番組に自動的に切り替わる機能を持ったテレビジョン受像機が提案されている（例えば、特許文献１を参照）。
【０００４】
特許文献１に記載のテレビジョン受像機においては、第１チューナで音声多重信号が含まれているチャンネルを受信中に切替手段を動作させて第２チューナによって受信したチャンネルを受像回路に供給すると、モニタには第２チューナによって受信している番組が映し出される。この状態で第１チューナで受信しているチャンネルの音声信号に音声多重信号が含まれなくなった、音声多重信号に変化がないことが音声多重モード判定手段によって判断されると、復帰手段は切替手段を切り替えて第１チューナによって受信されている元のチャンネルを受像回路に供給する。
【０００５】
また、異なる２系統以上の映像音声入力を切り替える装置として、視聴者に対する高い利便性を目的とすると共に、自局の番組から他局の番組へ「浮気」して欲しくないと望む放送事業者の利益にも配慮することを目的とした録画再生装置も提案されている（例えば、特許文献２を参照）。
【０００６】
特許文献２に記載の録画再生装置においては、地上波チューナからの受信信号はＭＰＥＧ２エンコーダで符号化されてハードディスク装置（以下、ＨＤＤという）に録画され、出力系統切換スイッチをＨＤＤ側にすることによりＨＤＤに録画されたばかりのＭＰＥＧ２データがＭＰＥＧ２デコータで復元されてテレビ受像機へ出力される。一方、出力系統切換スイッチをＢＳデジタルチューナからの入力に切り替えることで、ＢＳデジタルチューナからの受信信号の視聴へと「チャンネル浮気」する。このとき、ＨＤＤに記録中のアドレスを記憶しておき、再び出力系統切換スイッチをＨＤＤ側に切り替えたときには、前記アドレスから読み出し動作を開始することで、地上波チューナで受信している番組を「浮気」の発生時点に遡って、内容を中断させずに視聴することができる。
【０００７】
一方、視聴者は、或るテレビ放送番組を視聴中、ＣＭになった時や興味を惹かないシーンであると判断した時などに、他チャンネルの放送番組を流し見（ザッピング）することが多々ある。
【特許文献１】特開平５−１９９４７０号公報
【特許文献２】特開２００２−１８５８９９号公報
【発明の開示】
【発明が解決しようとする課題】
【０００８】
しかしながら、テレビ視聴中に何時でも巻き戻しなどが可能なように、ＨＤＤ等の記憶媒体に視聴中の番組を常時記録することが可能な装置においては、視聴番組のＣＭ期間等に隣接チャンネル（同一系統の映像信号入力）をザッピングすると、チャンネル操作に伴って記録される番組が切り替わってしまう。従って、視聴者が最初の視聴番組のチャンネルを再び視聴するようにそのチャンネルに戻ってきた時に、巻き戻しを実行したとしてもザッピング中の視聴番組のシーンは当然記録されておらず、視聴することが不可能となる。また、この問題は、一般のテレビ放送に対してだけでなく、ＣＡＴＶ（ケーブルテレビジョン）放送、ラジオ放送に対しても生ずる。
【０００９】
本発明は、上述のごとき実情に鑑みてなされたものであり、テレビ放送やＣＡＴＶ放送  又はラジオ放送を受信し記録媒体に視聴中の番組を常時記録することが可能な装置において、ザッピング後に、ザッピング前に視聴していた視聴番組におけるザッピング中のシーンを視聴し直すことが可能な、放送記録再生装置を提供することをその目的とする。
【課題を解決するための手段】
【００１０】
本発明は、上述のごとき課題を解決するために、以下の各技術手段により構成される。
第１の技術手段は、放送信号を受信し記録媒体に視聴中のチャンネルの番組を常時記録する機能をもつ放送記録再生装置であって、前記受信した放送信号のうち視聴用のチャンネルを選局して復調する視聴用チューナと、該視聴用チューナにおいて選局するチャンネルを、視聴者に切り替えさせるチャンネル切替手段と、前記受信した放送信号のうち前記視聴用のチャンネルと同じチャンネルを記録用のチャンネルとして選局して復調する記録用チューナと、前記記録用チューナで復調したチャンネルの放送信号を、前記記録媒体に常時記録する常時記録手段と、該常時記録手段で記録された放送信号と前記視聴用チューナで復調した放送信号とを入力し、前記視聴用チューナで復調した放送信号を出力して再生用に出力し、前記視聴者が前記常時記録手段で記録された元のチャンネルの視聴を希望したときのみ、前記視聴用チューナで復調した放送信号の代わりに前記常時記録手段で記録された放送信号を選択し、再生用に出力する選択回路と、を備え、前記記録用チューナで選局されているチャンネルを、前記チャンネル切替手段でチャンネルの切り替えがあり且つ所定の条件を満たしたときのみ、前記チャンネル切替手段で視聴者が切り替えたチャンネルに変更することを特徴としたものである。
【００１１】
第２の技術手段は、第１の技術手段において、前記チャンネル切替手段によってチャンネルが切り替えられてから再度切り替え前のチャンネルに戻すまでの時間を計測する手段を備え、前記所定の条件として、前記チャンネル切替手段によってチャンネルが切り替えられてから再度切り替え前のチャンネルに戻すまでに、所定の時間を経過したことを、条件とすることを特徴としたものである。
【００１２】
第３の技術手段は、第１又は第２の技術手段において、前記所定の条件として、前記チャンネル切替手段によってチャンネルが切り替えられてから、視聴者によって前記記録媒体への記録に関する所定の操作がなされたことを、条件とすることを特徴としたものである。
【００１３】
第４の技術手段は、第１乃至第３のいずれかの技術手段において、前記記録用チューナにおいて選局するチャンネルを、視聴者に切り替えさせる記録チャンネル切替手段をさらに備え、前記所定の条件として、前記チャンネル切替手段でチャンネルの切り替えの有無に拘わらず、前記記録チャンネル切替手段で記録するチャンネルが切り替えられたことを、条件とすることを特徴としたものである。
【００１４】
第５の技術手段は、第１乃至第４のいずれかの技術手段において、前記常時記録手段の前段に、記録対象の番組を符号化する符号化回路を備え、且つ、前記常時記録手段の後段に、符号化された後に前記記録媒体に記録された番組を復号する復号回路を備えることを特徴としたものである。
【００１５】
第６の技術手段は、第１乃至第５のいずれかの技術手段において、前記視聴用チューナの代わりに、当該放送記録再生装置に接続された外部の放送受信機器に具備されたチューナから出力された放送信号を入力する入力手段を備えたことを特徴としたものである。
【発明の効果】
【００１６】
本発明によれば、テレビ放送やラジオ放送を受信し記録媒体に視聴中の番組を常時記録することが可能な装置において、ザッピング後に、ザッピング前に視聴していた視聴番組におけるザッピング中のシーンを視聴し直すことが可能となる。
【発明を実施するための最良の形態】
【００１７】
本発明は、テレビ放送やラジオ放送を受信し、再生用に常時記録する放送記録再生装置であり、該装置をテレビ放送に適用した場合とラジオ放送に適用した場合との差異は、チューナ（及び放送受信アンテナ）がテレビ用かラジオ用かだけであるので、以下、放送されたテレビジョン信号に対する記録・再生が可能なテレビ放送記録再生装置についてのみ説明する。本発明に係るテレビ放送記録再生装置は、放送されたテレビジョン信号を受信し記録媒体に視聴中のチャンネルの番組を再生用として常時記録する装置であり、ハードディスクレコーダ，ＤＶＤレコーダ，ハードディスク内蔵ＤＶＤレコーダなどに好適に適用でき、さらには、チューナ機能を備えたパーソナルコンピュータなどに適用してもよい。なお、本発明をラジオ放送記録再生装置に適用する場合には、テレビジョン信号の代わりにラジオ信号を受信して記録・再生を行う。
【００１８】
図１は、本発明の一実施形態に係るテレビ放送記録再生装置の一構成例を示す図で、図２は、図１のテレビ放送記録再生装置における２つのチューナでのチャンネル選局の例を説明するための模式図である。図１において、１はテレビ放送記録再生装置、１０はコントローラ、１１はタイマ、１２は視聴用チューナ、１３は記録用チューナ、１４はエンコーダ、１５は記憶装置、１６はデコーダ、１７はセレクタである。
【００１９】
本発明の一実施形態に係るテレビ放送記録再生装置１は、視聴用チューナ１２を備えることでユーザ（視聴者）がテレビ放送を視聴することを可能とする。また、従来のテレビ放送記録再生装置では、視聴用チューナ１２に対応するチューナで復調したテレビジョン信号を、後の巻き戻し等による再生を実施するために記録していたが、本実施形態に係るテレビ放送記録再生装置１は、別途、記録用にチューナ（記録用チューナ１３）を備え、記録用チューナ１３で復調したテレビジョン信号を記録するものとする。
【００２０】
視聴用チューナ１２は、受信したテレビジョン信号のうち視聴用のチャンネルを選局して復調し、一方、記録用チューナ１３は、受信したテレビジョン信号のうち視聴用のチャンネルと同じチャンネルを記録用のチャンネルとして選局して復調する。そして、テレビ放送記録再生装置１は、視聴用チューナ１２において選局するチャンネルを、視聴者に切り替えさせるチャンネル切替手段を備えるものとする。このチャンネル切替手段は、チャンネル選択ボタンやそれを含むリモートコントローラ等、視聴者が指示を行う手段、それらの指示（ユーザコマンド）をコントローラ１０に伝送する手段、及びコントローラ１０などにより構成される。ここで、コントローラ１０は、視聴用チューナ１２を、チャンネル切替手段によって切り替えられたチャンネルを選局するよう制御し、さらに、後述の常時記録手段の一部としても機能する。
【００２１】
テレビ放送記録再生装置１は、記憶装置１５に加え、次の常時記録手段を備えるものとする。この常時記録手段は、記録用チューナ１３で復調したチャンネルのテレビジョン信号を、記憶装置１５で例示した記録媒体に常時記録する手段である。ここで、記録用チューナ１３で復調したチャンネルのテレビジョン信号は、基本的に、視聴者が現在視聴中のチャンネルの番組に関するテレビジョン信号となる。また、ここでは、記録媒体をＨＤＤ等で構成される記憶装置１５で例示しており、従って、常時記録手段は、記憶装置１５に記憶する命令を伝送する手段を有するとも謂え、上述したようにコントローラ１０がこの命令伝送を実行する。勿論、記憶装置１５はＨＤＤ以外の記憶装置も適用でき、また記録媒体として各種ＤＶＤなど様々な記録媒体が適用できる。そして、テレビ放送記録再生装置１は、記録媒体としてＨＤＤを適用した場合、別途、保存用に各種ＤＶＤに記録可能なよう構成してもよいことは言及するまでもない。なお、テレビ放送記録再生装置としては、常時記録を実行しないようにする機能を備えてもよい。
【００２２】
また、視聴者は記録するコンテンツの画質を所定段階（例えば高画質，通常画質，低画質等）に指定できることが好ましく、従って、記憶装置１５の記憶容量が十分ある場合であっても、エンコーダ１４及びデコーダ１６は備えることが好ましい。エンコーダ１４は、常時記録手段の前段に設けられた、記録対象のテレビ番組を例えばＭＰＥＧ（Ｍｏｖｉｎｇ  Ｐｉｃｔｕｒｅ  Ｅｘｐｅｒｔｓ  Ｇｒｏｕｐ）方式等の所定の方式に則って符号化する符号化回路である。デコーダ１６は、常時記録手段の後段に設けられ、記憶装置１５に符号化された後に記録されたテレビ番組を復号する復号回路である。
【００２３】
また、テレビ放送記録再生装置１は、セレクタ１７で例示する選択回路を備えるものとする。この選択回路は、常時記録手段で記憶装置１５に記録されたテレビジョン信号と視聴用チューナ１２で復調したテレビジョン信号とを入力し、双方のテレビジョン信号のうち一方を選択して、ＣＲＴ（Ｃａｔｈｏｄｅ−ｒａｙ  Ｔｕｂｅ），ＬＣＤ（Ｌｉｑｕｉｄ  Ｃｒｙｓｔａｌ  Ｄｉｓｐｌａｙ），ＰＤＰ（Ｐｌａｓｍａ  Ｄｉｓｐｌａｙ  Ｐａｎｅｌ），ＯＥＬＤ（Ｏｒｇａｎｉｃ  Ｅｌｅｃｔｒｏｌｕｍｉｎｅｓｃｅｎｃｅ  Ｄｉｓｐｌａｙ）等の表示装置（表示モニタ）などに出力する回路である。そして、この選択回路は、視聴用チューナ１２で復調したテレビジョン信号を出力して再生用に出力し、視聴者が常時記録手段で記録された元のチャンネルの視聴を希望したときのみ、視聴用チューナ１２で復調したテレビジョン信号の代わりに常時記録手段で記録されたテレビジョン信号を選択し、再生用に出力する。なお、通常、切替後のチャンネルを出力中に元のチャンネルの視聴を希望することとなる。例示したセレクタ１７では、視聴用チューナ１２からの出力を入力する入力端子ａと、記憶装置１５からの出力を入力する入力端子ｂとをもち、出力端子として再生用のモニタへのテレビジョン信号（映像信号及び音声信号）の出力端子をもつ。なお、図１では、後述するように入力端子ｂとしてデコーダ１６の出力を入力する端子を例示している。
【００２４】
このような構成により、テレビ視聴中には、セレクタ１７は入力端子ａ側に切り替えられ、アンテナ入力、視聴用チューナ１２、セレクタ１７、モニタ出力の経路で映像（基本的に音声も含む）が出力される。一方、テレビ視聴中に、ユーザコマンドによって一時停止，巻き戻しなどの記録に関する操作が要求された場合、コントローラ１０はその要求に応じた特殊再生コマンドを記憶装置１５及びデコーダ１６に送出し、セレクタ１７がｂ側に切り替えられ、記憶装置１５に記録された映像が出力される。記憶装置１５にＨＤＤやメモリ等を使用することにより、ランダム記録再生ができるため、視聴中のテレビ番組を手元で一時停止したり、巻き戻したりすることができる。
【００２５】
そして、本実施形態における記録用チューナ１３は、通常、視聴用チューナ１２で選局されているチャンネルを選局しておいて視聴用チューナ１２でチャンネル切替手段によってチャンネルの切り替えがあったとしても切り替え前のチャンネルを選局したままとする。さらに、記録用チューナ１３での選局チャンネルは、上述のチャンネル切替手段で視聴者によるチャンネルの切り替えがあり且つ所定の条件を満たしたときのみ、チャンネル切替手段で視聴者が切り替えたチャンネルに変更する。この記録チューナ１３のチャンネル変更も、コントローラ１０による変更の制御により行えばよい。
【００２６】
ここで、所定条件とは、（１）チャンネルＢに切り替えてから所定の時間が経過した、（２）チャンネルＢ視聴中に、ユーザが一時停止などの操作を行った、（３）ユーザが記録チャンネルをチャンネルＢに手動設定した、などが挙げられる。これにより、チャンネルＢが記録され、一時停止などの特殊再生を行うことができるようになる。
【００２７】
図２は、本発明の他の実施形態に係るテレビ放送記録再生装置における記録再生処理の一例を説明するための概念図で、図１のテレビ放送記録再生装置における２つのチューナでのチャンネル選局の例を説明するための模式図である。上述の所定条件（１）に関して、図２を参照して、本発明の他の実施形態として詳細に説明する。
【００２８】
ここで説明する実施形態においては、テレビ放送記録再生装置１は、チャンネル切替手段によってチャンネルが切り替えられてから再度切り替え前のチャンネルに戻すまでの時間を計測する計測手段を備えるものとする。この計測手段は、図１においては、タイマ１１と、視聴用チューナ１２でのチャンネル切替信号に基づいてタイマ１１に計測リセット信号を送出し、タイマ１１で計測した時間情報を得るコントローラ１０によって主に構成される。
【００２９】
そして、所定条件として、チャンネル切替手段によってチャンネルが切り替えられてから再度切り替え前のチャンネルに戻すまでに、所定の時間を経過したことを、条件とする。換言すると、視聴者が視聴しているチャンネルからチャンネル切替手段でチャンネルを切り替えてから所定の時間を経過しても元のチャンネルに戻さないことを、所定の条件とする。
【００３０】
図２においては、破線で視聴用チューナ１２のチャンネル設定の経緯を、実線で記録用チューナ１３のチャンネル設定の経緯を例示している。この例では、時間０〜Ｔ１は、ユーザがチャンネルＡを視聴中の期間、時間Ｔ１〜Ｔ２は、ユーザがチャンネルＢを流し見（ザッピング）している期間である。そして、時間Ｔ２において、ユーザはチャンネルＡの視聴を再開している。時間Ｔ１〜Ｔ２の期間におけるチャンネルＡの内容は、記憶装置１５に格納されているため、見直すことができる。また、時間Ｔ３以降は、ユーザがチャンネルＢの流し見を再開した期間であり、チャンネルＢの内容が面白かったのか、チャンネルＡには戻ってきていない。時間Ｔ４は、所定の条件が成立した時間（時刻）であり、所定の条件が成立したところで、記録用チューナ１３がチャンネルＢに切り替わる。このように、ザッピング時に別チャンネルの視聴時間が所定時間を経過した場合には、視聴番組が切り替わったと判断して、記録用チューナ１３のチャンネルを現在の視聴チャンネルに切り替える。
【００３１】
上述の所定条件（２）に関して、本発明の他の実施形態として詳細に説明する。
本発明の他の実施形態においては、所定条件として、チャンネル切替手段によってチャンネルが切り替えられてから、視聴者によって記憶装置１５等の記録媒体への記録に関する所定の操作がなされたことを、条件とする。この所定の操作は、コントローラ１０がユーザコマンドに基づいて特殊再生コマンドを送出することにより実行される。本実施形態においては、所定条件（１）のごとく所定時間を経過しなくても、一時停止等のユーザ操作が発生した場合には、視聴番組が切り替わったと判断して、記録用チューナ１３のチャンネルを視聴チャンネルに切り替える。
【００３２】
上述の所定条件（３）に関して、本発明の他の実施形態として詳細に説明する。
本発明の他の実施形態においては、記録用チューナ１３において選局するチャンネルを、視聴者に切り替えさせる記録チャンネル切替手段をさらに備えるものとする。この記録チャンネル切替手段の構成は、上述のチャンネル切替手段と同様であり、切り替えの対象が記録用チューナ１３であるだけである。
【００３３】
そして、本実施形態においては、所定条件として、チャンネル切替手段でチャンネルの切り替えの有無に拘わらず、記録チャンネル切替手段で記録するチャンネルが切り替えられたことを、条件とする。例えば、リモコン等に記録チャンネル切り替えボタンを用意し、このボタンが押されると視聴番組が切り替わったと判断して、記録用チューナ１３のチャンネルを視聴チャンネルに切り替える。
【００３４】
上述の各実施形態によれば、テレビ視聴中にいつでも巻き戻し等ができるよう、記録媒体に視聴中の番組を常時記録することが可能な装置において、視聴用のチューナと記録用チューナとを持ち、視聴用チューナのチャンネルを切り替えても記録用チューナのチャンネルを元のチャンネルに保持するので、ザッピング後に巻き戻しを行った場合であっても、ザッピング前に視聴していた視聴番組におけるザッピング中のシーンを見直すことが可能となる。すなわち、この装置では、ザッピング中の視聴番組のシーンを見直すことが可能となる。
【００３５】
図３は、本発明の他の実施形態に係るテレビ放送記録再生装置の一構成例を示す図で、図中、２はテレビ放送記録再生装置、２０はコントローラ、２１はタイマ、２２は外部チューナ入力回路、２３は記録用チューナ、２４はエンコーダ、２５は記憶装置、２６はデコーダ、２７はセレクタである。図３において、図１と同じ名称で同じ機能をもつ構成要素については、基本的にその説明を省略する。
【００３６】
図３で例示する本発明の他の実施形態に係るテレビ放送記録再生装置は、図１及び図２で説明した実施形態において、チューナ部品の省略によりコストダウンを可能とした装置である。
【００３７】
図１における視聴用チューナ１２の代わりに、視聴用のテレビジョン信号を入力する入力手段を備えるものとする。この入力手段は、テレビ放送記録再生装置２に接続された外部のテレビ放送受信機器に具備されたチューナから出力されたテレビジョン信号を入力する手段であり、図３においては外部チューナ入力回路（単に外部チューナ入力端子とする場合もある）２２として例示する。外部チューナ入力回路２２は、例えば、外部チューナからの出力信号（テレビジョン信号及びチャンネル切替信号）を入力する入力端子と、セレクタ２７に復調後のテレビジョン信号を出力する経路、コントローラ２０にチャンネルを切り替えることを示すチャンネル切替信号を出力する経路で構成するとよい。ここで、チャンネル切替信号は、タイマ２１をリセットするための一種の制御信号として用いられる。
【００３８】
視聴用のチューナとして、例えばテレビのチューナを使用することにより、コスト低減を図ることが可能である。この場合、一時停止や巻き戻し等の操作により、テレビ視聴から記録された番組の視聴に切り替わった時には、テレビの表示をテレビチューナから外部入力（テレビ放送記録再生装置２の出力）に切り替え、逆に、記録された番組の視聴中にチャンネル操作が行われると、テレビの表示を外部入力からテレビチューナに切り替えるよう、リモコン送信が行われる。そして、リモコン送信の代わりに、テレビとテレビ放送記録再生装置２の間で専用の制御信号により通信を行うことによって、動作の連携を図るとよい。
【００３９】
以上、本発明の各実施形態に係る放送記録再生装置においては、１つの放送形態に対応可能な放送記録再生装置として説明してきたが、放送形態が複数ある場合で、それぞれに対して本発明を適用するためには、それぞれに対し使用可能なチューナを２つずつ設ける構成とする。例えば、デジタル放送とアナログ放送とを双方受信可能で、且つ本発明の効果を双方の放送で得るためには、デジタル放送に対する視聴用チューナと記録用チューナ、及びアナログ放送に対する視聴用チューナと記録用チューナを用いて行う。またアンテナ入力の放送信号とＣＡＴＶ用チューナの放送信号を双方受信する場合は、アンテナ入力の放送信号視聴用チューナと記録用チューナ、及びＣＡＴＶ用チューナの放送信号視聴用チューナと記録用チューナを用いて行う。放送形態としては、デジタルとアナログの差異だけでなく、アンテナ入力の放送信号とＣＡＴＶの放送信号の差異やＢＳ，ＣＳ，地上波などによる放送形態の違いもあり、それらの場合にも同様に本発明を適用できる。
【図面の簡単な説明】
【００４０】
【図１】本発明の一実施形態に係るテレビ放送記録再生装置の一構成例を示す図である。
【図２】本発明の他の実施形態に係るテレビ放送記録再生装置における記録再生処理の一例を説明するための概念図で、図１のテレビ放送記録再生装置における２つのチューナでのチャンネル選局の例を説明するための模式図である。
【図３】本発明の他の実施形態に係るテレビ放送記録再生装置の一構成例を示す図である。
【符号の説明】
【００４１】
１，２…テレビ放送記録再生装置、１０，２０…コントローラ、１１，２１…タイマ、１２…視聴用チューナ、１３，２３…記録用チューナ、１４，２４…エンコーダ、１５，２５…記憶装置、１６，２６…デコーダ、１７，２７…セレクタ、２２…外部チューナ入力回路。
【図１】
2006019793.tif 000003
【図２】
2006019793.tif 000004
【図３】
2006019793.tif 000005